(57)【要約】【課題】処理対象の信号に応じた振動を抑制する。【解決手段】振動発生部８０が表示装置１００において振動Ｖｂを発生させるように、振動制御部３４が、信号ＳｇＡに基づいて当該振動発生部８０を制御する。振動Ｖｂは、表示装置１００が信号ＳｇＡを処理することにより当該表示装置１００において発生する振動Ｖａを抑制するための振動である。【選択図】図６
2016181848.tif 000002
【特許請求の範囲】
【請求項１】
信号を処理し、ディスクにデータを記録するディスク記録装置が内部に固定された表示装置であって、
前記信号は、当該信号が前記表示装置に処理される際に当該表示装置において第１振動を発生させる信号であり、
前記表示装置は、
当該表示装置において第２振動を発生させるための振動発生部と、
前記振動発生部が当該表示装置において前記第２振動を発生させるように、前記信号に基づいて当該振動発生部を制御する振動制御部と、を備え、
前記第２振動は、前記表示装置が前記信号を処理することにより当該表示装置において発生する前記第１振動を抑制するための振動である
表示装置。
【請求項２】
前記表示装置は、さらに、
前記信号に従って音声を出力する音声出力部を備え、
前記第１振動は、前記音声出力部が前記信号に従って前記音声を出力することにより、前記表示装置において発生する振動であり、
前記第２振動は、前記第１振動の波形の逆相の波形を有する振動である
請求項１に記載の表示装置。
【請求項３】
前記信号は、第１音声信号と第２音声信号とから構成され、
前記表示装置は、さらに、
前記第１音声信号の波形と前記第２音声信号の波形との合成により得られた波形を有する合成信号を生成する合成部と、
前記合成信号に基づいて、前記振動発生部が前記第２振動を発生させるための駆動信号を生成する生成部と、を備え、
前記振動発生部は、生成された前記駆動信号に基づいて前記表示装置において前記第２振動を発生させる
請求項２に記載の表示装置。
【発明の詳細な説明】
【技術分野】
【０００１】
本発明は、ディスクにデータを記録するディスク記録装置が内部に固定された表示装置に関する。
【背景技術】
【０００２】
デジタルテレビ放送等により提供される番組を録画するために、ハードディスク等のディスク記録装置が利用されるケースが増えつつある。近年では、番組の録画および再生を手軽に行うために、ディスク記録装置を内蔵した、テレビジョン受像機等の表示装置（以下、「記録装置内蔵表示装置」という）が普及しつつある。
【０００３】
近年、記録装置内蔵表示装置の画面の大型化が進んでおり、当該記録装置内蔵表示装置は、一般の家庭に加え、会議、教育の現場等においても使用されてきている。なお、会議、教育の現場等で使用される記録装置内蔵表示装置は、大音量の音声を出力するケースが多い。
【０００４】
記録装置内蔵表示装置が大音量の音声を出力する場合、当該記録装置内蔵表示装置に設けられたスピーカで発生する振動が、ディスク記録装置に伝搬する場合がある。この場合、ディスク記録装置に不具合が発生する可能性がある。当該不具合は、例えば、ディスク記録装置が、ディスクに記録されたデータにアクセスできないという不具合（アクセス不良）である。
【０００５】
特許文献１では、上記のアクセス不良を軽減するための技術（以下、「関連技術Ａ」ともいう）が開示されている。具体的には、関連技術Ａでは、内蔵スピーカから伝搬される振動が、ＨＤＤ（ディスク記録装置）に伝達することを遮る構成が開示されている。
【先行技術文献】
【特許文献】
【０００６】
【特許文献１】特開２０１０−１３０４５４号公報
【発明の概要】
【発明が解決しようとする課題】
【０００７】
しかしながら、関連技術Ａは、以下のような問題がある。一般的に、処理対象の信号の種類（例えば、音声の周波数）によって、テレビジョン受像機である表示装置において発生する振動の状態は変化する。そのため、関連技術Ａのような、ディスク記録装置の周囲に制振部材を設ける構成では、特定の周波数の信号に対応する振動は抑制できるが、処理対象の信号の種類に応じた振動を抑制することはできない。
【０００８】
本発明は、このような問題を解決するためになされたものであり、処理対象の信号に応じた振動を抑制することが可能な表示装置を提供することを目的とする。
【課題を解決するための手段】
【０００９】
上記目的を達成するために、本発明の一態様に係る表示装置は、信号を処理し、ディスクにデータを記録するディスク記録装置が内部に固定された装置である。前記信号は、当該信号が前記表示装置に処理される際に当該表示装置において第１振動を発生させる信号であり、前記表示装置は、当該表示装置において第２振動を発生させるための振動発生部と、前記振動発生部が当該表示装置において前記第２振動を発生させるように、前記信号に基づいて当該振動発生部を制御する振動制御部と、を備え、前記第２振動は、前記表示装置が前記信号を処理することにより当該表示装置において発生する前記第１振動を抑制するための振動である。
【発明の効果】
【００１０】
本発明によれば、振動発生部が表示装置において第２振動を発生させるように、振動制御部が、信号に基づいて当該振動発生部を制御する。前記第２振動は、前記表示装置が前記信号を処理することにより当該表示装置において発生する前記第１振動を抑制するための振動である。
【００１１】
これにより、表示装置の処理対象の信号に応じた振動を抑制することができる。
【図面の簡単な説明】
【００１２】
【図１】本発明の実施の形態１に係る表示装置の正面側を示す図である。
【図２】本発明の実施の形態１に係る表示装置の背面側を示す図である。
【図３】本発明の実施の形態１に係る表示装置の内部構成の一部を示す平面図である。
【図４】方向ＤＲａからみられた、図３の構成を示す図である。
【図５】方向ＤＲｂからみられた、図３の構成を示す図である。
【図６】本発明の実施の形態１に係る表示装置の構成を示すブロック図である。
【図７】表示装置のハードウエア構成図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１５】
＜実施の形態１＞
図１は、本発明の実施の形態１に係る表示装置１００の正面側を示す図である。表示装置１００は、テレビジョン受像機である。当該テレビジョン受像機は、例えば、デジタル放送に従った映像を表示可能な装置である。なお、表示装置１００は、テレビジョン受像機に限定されず、映像を表示可能な他の装置であってもよい。表示装置１００は、例えば、ＰＣ（Personal Computer）用のディスプレイであってもよい。
【００１６】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１８】
図２は、本発明の実施の形態１に係る表示装置１００の背面側を示す図である。図３は、本発明の実施の形態１に係る表示装置１００の内部構成の一部を示す平面図である。図４は、図３の方向ＤＲａからみられた、当該図３の構成を示す図である。図５は、方向ＤＲｂからみられた、当該図３の構成を示す図である。
【００１９】
図１および図２を参照して、表示装置１００は、表示部２０と、筐体３０と、板１１と、音声出力部７０と、ディスク記録装置５０と、振動発生部８０とを備える。
【００２０】
表示部２０は、映像を表示するための表示デバイスである。表示部２０は、例えば、ＬＣＤ（Liquid Crystal Display）である。
【００２１】
筐体３０は、表示装置１００の各構成要素を収容する。筐体３０は、例えば、樹脂（例えば、ＡＢＳ樹脂）から構成される。なお、筐体３０の内部には、後述の板１１が固定されている。以下においては、筐体３０のうち図１に示される部分を、「筐体３０Ｆ」ともいう。筐体３０Ｆは、表示装置１００の前面側の筐体（フロントカバー）である。筐体３０Ｆは、表示部２０の周囲を覆うように設けられる。
【００２２】
以下においては、筐体３０のうち図２に示される部分を、「筐体３０Ｒ」ともいう。筐体３０Ｒは、表示装置１００の背面側の筐体（バックカバー）である。なお、筐体３０Ｒは、樹脂に限定されず、例えば、金属で構成されてもよい。
【００２３】
音声出力部７０は、詳細は後述するが、後述の信号ＳｇＡに従って音声を出力する。当該信号ＳｇＡは、音声信号である。音声出力部７０は、スピーカ７Ｌと、スピーカ７Ｒとから構成される。スピーカ７Ｌ，７Ｒは、筐体３０の内部に固定される。なお、スピーカ７Ｌは、表示装置１００の前面側からみたＸＺ面において筐体３０の内部の左側に設けられる。スピーカ７Ｒは、表示装置１００の前面側からみたＸＺ面において筐体３０の内部の右側に設けられる。以下においては、スピーカ７Ｌ，７Ｒの各々を、単に、「スピーカ７」ともいう。
【００２４】
ディスク記録装置５０は、ディスクにデータを記録する装置である。当該ディスクは、例えば、ＤＶＤ（Digital Versatile Disk）、ＢＤ（Blu-ray Disc（登録商標））等のディスクである。ディスク記録装置５０は、ディスクに映像、音声等のコンテンツを記録する機能と、ディスクに記録されたコンテンツを再生する機能とを有する。
【００２５】
ディスク記録装置５０は、表示装置１００（筐体３０）の内部に固定される。ディスク記録装置５０は、例えば、表示部２０の背面側に設けられる。具体的には、ディスク記録装置５０は、制振用部材９を介して、筐体３０に固定されている板１１に固定される。すなわち、ディスク記録装置５０は、表示装置１００に予め内蔵される。板１１は、例えば、金属で構成される。
【００２６】
なお、ディスク記録装置５０は、表示装置１００に予め内蔵されない構成としてもよい。当該構成では、表示装置１００は、当該表示装置１００に対しディスク記録装置５０が着脱自在なように構成される。
【００２７】
制振用部材９は、振動の伝播を抑えるための部材である。また、制振用部材９は、振動の大きさを小さくするための部材である。制振用部材９は、例えば、ゴムである。
【００２８】
なお、ディスク記録装置５０を固定する構成は、上記構成に限定されず、ディスク記録装置５０は、例えば、板１１に直接固定されていてもよい。
【００２９】
振動発生部８０は、詳細は後述するが、表示装置１００において後述の振動Ｖｂを発生させるための装置である。なお、振動発生部８０は、ディスク記録装置５０の近傍に設けられる。振動発生部８０は、一例として、図３のＸＺ面において、ディスク記録装置５０の下方に設けられる。振動発生部８０は、板１１に固定される。
【００３０】
筐体３０は、上記の表示部２０、板１１、音声出力部７０（スピーカ７Ｌ，７Ｒ）、ディスク記録装置５０および振動発生部８０を収容する。
【００３１】
なお、筐体３０Ｆには、音声通過部３Ｌ，３Ｒが設けられる。音声通過部３Ｌ，３Ｒの各々は、複数の穴で構成される。音声通過部３Ｌ，３Ｒは、それぞれ、スピーカ７Ｌ，７Ｒに対応して設けられる。音声通過部３Ｌは、スピーカ７Ｌから出力される音声を、外部へ伝達しやすくするための部分である。音声通過部３Ｒは、スピーカ７Ｒから出力される音声を、外部へ伝達しやすくするための部分である。
【００３２】
筐体３０の下部には、スタンド６が設けられる。スタンド６は、表示装置１００を台等の上に設置するための部材である。
【００３３】
次に、振動発生部８０の構成について詳細に説明する。図３、図４および図５を参照して、振動発生部８０は、モーター８０ａと、板状部８０ｂとを含む。モーター８０ａは、回転軸Ｘ１を有する。モーター８０ａは、回転軸Ｘ１を回転させる機能を有する。
【００３４】
板状部８０ｂは、当該板状部８０ｂが回転することにより、モーター８０ａを振動させるための板である。板状部８０ｂのＹＺ面の形状は、図５のように、一例として、楕円状である。板状部８０ｂは、当該板状部８０ｂが回転することによりモーター８０ａが振動するように、モーター８０ａに固定される。具体的には、板状部８０ｂは、図５のように、ＹＺ面における当該板状部８０ｂの中心からずれた部分が、モーター８０ａの回転軸Ｘ１に固定される。
【００３５】
この構成により、回転軸Ｘ１の回転に伴う板状部８０ｂの回転により、当該板状部８０ｂに遠心力が発生する。板状部８０ｂに発生する遠心力は、当該遠心力の大きさが所定周期毎に変化する。そのため、モーター８０ａには、板状部８０ｂの回転に伴い、所定周期毎に振動が発生する。また、モーター８０ａに振動が発生することにより、当該モーター８０ａが固定されている板１１にも振動が発生する。また、板１１に振動が発生することにより、板１１が取付けられている筐体３０にも振動が発生する。すなわち、振動発生部８０は、筐体３０を備える表示装置１００において振動を発生させる。
【００３６】
次に、表示装置１００の構成についてさらに詳細に説明する。図６は、本発明の実施の形態１に係る表示装置１００の構成を示すブロック図である。図６を参照して、表示装置１００は、制御部４０と、映像処理部３１Ｖと、音声処理部３１Ａと、合成部３２と、生成部３３と、振動制御部３４とをさらに備える。
【００３７】
制御部４０は、詳細は後述するが、表示装置１００の各部を制御する。制御部４０は、例えば、映像処理部３１Ｖおよび音声処理部３１Ａを制御する。制御部４０は、表示装置１００が映像を表示する場合、当該映像を示す映像信号を、映像処理部３１Ｖへ送信する。また、制御部４０は、表示装置１００が音声を出力する場合、当該音声を示す音声信号を、音声処理部３１Ａへ送信する。以下においては、音声を示す音声信号を、「信号ＳｇＡ」ともいう。すなわち、制御部４０は、信号ＳｇＡを音声処理部３１Ａへ送信する。
【００３８】
信号ＳｇＡは、詳細は後述するが、当該信号ＳｇＡが表示装置１００に処理される際に表示装置１００に後述の振動Ｖａを発生させる信号である。信号ＳｇＡは、音声信号ＳｇＬと音声信号ＳｇＲとから構成される。
【００３９】
音声信号ＳｇＬは、複数種類の音により構築された仮想の音空間において、主に、左側に定位された音声（以下、「左用音声」ともいう）を示す左用音声信号である。音声信号ＳｇＬは、スピーカ７Ｌが左用音声を出力するために使用される信号である。音声信号ＳｇＲは、上記の仮想の音空間において、主に、右側に定位された音声（以下、「右用音声」ともいう）を示す右用音声信号である。音声信号ＳｇＲは、スピーカ７Ｒが右用音声を出力するために使用される信号である。
【００４０】
制御部４０、映像処理部３１Ｖ、音声処理部３１Ａ、合成部３２、生成部３３および振動制御部３４の全てまたは一部は、ハードウエアの電気回路で構成される信号処理回路で構成される。なお、制御部４０、映像処理部３１Ｖ、音声処理部３１Ａ、合成部３２、生成部３３および振動制御部３４の全てまたは一部は、ＣＰＵ（Central Processing Unit）等のプロセッサにより実行される、プログラムのモジュールであってもよい。
【００４１】
映像処理部３１Ｖは、受信した映像信号を、表示部２０へ送信する。表示部２０は、受信した映像信号に従って映像を表示する。
【００４２】
音声処理部３１Ａは、音声信号ＳｇＬおよび音声信号ＳｇＲを含む信号ＳｇＡを、音声出力部７０および後述の合成部３２へ送信する。詳細は後述するが、音声出力部７０は、信号ＳｇＡに従って音声を出力する音声出力処理を行う。すなわち、音声出力部７０を含む表示装置１００は、信号ＳｇＡを処理する。
【００４３】
なお、音声出力部７０が音声を出力する場合、音声出力部７０において振動が発生する。以下においては、音声出力部７０が信号ＳｇＡに従って音声を出力することにより、表示装置１００（筐体３０）において発生する振動を、「振動Ｖａ」ともいう。すなわち、振動Ｖａは、表示装置１００が信号ＳｇＡを処理することにより当該表示装置１００において発生する振動である。換言すれば、信号ＳｇＡは、当該信号ＳｇＡが表示装置１００に処理される際に表示装置１００において振動Ｖａを発生させる信号である。なお、振動Ｖａは、音声出力部７０が音声を出力することにより当該音声出力部７０（スピーカ７Ｌ，７Ｒ）において発生する振動でもある。
【００４４】
具体的には、音声処理部３１Ａは、音声信号ＳｇＬをスピーカ７Ｌへ送信し、音声信号ＳｇＲをスピーカ７Ｒへ送信する。これにより、音声出力処理では、スピーカ７Ｌは、音声信号ＳｇＬが示す左用音声を出力する。また、スピーカ７Ｒは、音声信号ＳｇＲが示す右用音声を出力する。合成部３２、生成部３３および振動制御部３４については後述する。
【００４５】
なお、音声出力処理において、スピーカ７Ｌ，７Ｒの各々が音声を出力することにより、スピーカ７Ｌ，７Ｒの各々において前述の振動Ｖａが発生する。スピーカ７Ｌ，７Ｒの各々で発生した振動Ｖａは、仮に、後述の振動抑制処理が行われない場合、筐体３０、板１１、制振用部材９等を経由して、ディスク記録装置５０に伝搬する。ディスク記録装置５０に伝搬される振動Ｖａが大きい場合、ディスク記録装置に不具合（以下、「不具合Ａ」ともいう）が発生する可能性がある。
【００４６】
不具合Ａは、例えば、ディスク記録装置５０が、ディスクに記録されたデータにアクセスできないという不具合（アクセス不良）である。また、不具合Ａは、例えば、ディスク記録装置５０がディスクにデータを正常に記録させることができないという不具合である。そのため、各スピーカ７が音声を出力することにより発生する振動Ｖａが、ディスク記録装置５０に伝搬されることを抑制することが望ましい。
【００４７】
なお、ディスク記録装置５０は、前述したように、制振用部材９を介して、板１１に固定される。そのため、制振用部材９が、振動Ｖａの大きさを、ある程度小さくするため、ディスク記録装置５０への振動Ｖａの伝搬を抑制することができる。しかしながら、各スピーカ７が出力する音声の音量が非常に大きい場合、ディスク記録装置５０への振動Ｖａの伝搬を十分に抑制できない。
【００４８】
以下においては、ディスク記録装置５０の動作に影響を与えない予め定められた振動のレベル（大きさ）を、「許容振動レベル」ともいう。ディスク記録装置５０に許容振動レベルの振動が発生している場合、ディスク記録装置５０が各種の動作を行っても、上記の不具合Ａは発生しない。例えば、ディスク記録装置５０に許容振動レベルの振動が発生している場合においても、ディスク記録装置５０は、ディスクに記録されたデータに正常にアクセスできる。許容振動レベルは、例えば、０、または、０に近い値である。
【００４９】
本実施の形態では、振動Ｖａの大きさを、許容振動レベル以下にするための処理（以下、「振動抑制処理」ともいう）を行う。振動抑制処理は、前述の信号ＳｇＡを使用して行われる。振動抑制処理は、前述の音声出力処理とほぼ同時に行われる。すなわち、信号ＳｇＡを使用して行われる音声出力処理と、当該信号ＳｇＡを使用して行われる振動抑制処理とは、互いに独立して、ほぼ同時に行われる。
【００５０】
以下においては、振動Ｖａを抑制するための振動を、「振動Ｖｂ」ともいう。振動Ｖｂは、振動Ｖａの大きさを許容振動レベル以下にするための振動である。
【００５１】
振動抑制処理では、詳細は後述するが、振動Ｖｂが生成される。振動Ｖｂは、振動Ｖａの波形の逆相の波形を有する振動である。すなわち、振動Ｖｂの波形は、振動Ｖａの波形の逆相の波形である。つまり、振動Ｖｂは、振動Ｖａと同期した波形である。
【００５２】
なお、振動Ｖｂが、振動Ｖａの波形の逆相の波形を有する振動であることに限定されない。振動Ｖｂは、振動Ｖａの大きさを許容振動レベル以下にするための振動であれば、振動Ｖａの波形の逆相の波形以外の波形を有する振動であってもよい。
【００５３】
以下、振動抑制処理について詳細に説明する。振動抑制処理では、合成処理、駆動信号生成処理および振動制御処理が、合成処理、駆動信号生成処理および振動制御処理の順で行われる。
【００５４】
合成処理では、合成部３２が、音声処理部３１Ａから受信した信号ＳｇＡに含まれる音声信号ＳｇＬおよび音声信号ＳｇＲを使用して、合成信号ＳｇＸを生成する。具体的には、合成部３２は、音声信号ＳｇＬの波形と音声信号ＳｇＲの波形とを合成することにより、合成信号ＳｇＸを生成する。音声信号ＳｇＬの波形は、当該音声信号ＳｇＬが示す左用音声の波形である。音声信号ＳｇＲの波形は、当該音声信号ＳｇＲが示す右用音声の波形である。なお、音声信号ＳｇＬの波形と音声信号ＳｇＲの波形とを合成する方法は、時間軸を基準に合成するという一般的な方法であるので詳細な説明は行わない。
【００５５】
合成信号ＳｇＸは、音声信号ＳｇＬの波形と音声信号ＳｇＲの波形との合成により得られた波形を有する信号である。そして、合成部３２は、生成した合成信号ＳｇＸを、生成部３３へ送信する。
【００５６】
駆動信号生成処理では、生成部３３が、合成信号ＳｇＸに基づいて、当該合成信号ＳｇＸに同期した駆動信号ＳｇＤを生成する。駆動信号ＳｇＤは、振動発生部８０が振動Ｖｂを発生させるための信号である。すなわち、駆動信号ＳｇＤは、振動発生部８０が当該駆動信号ＳｇＤに従って駆動することにより、当該振動発生部８０が振動Ｖｂを発生するための信号である。具体的には、駆動信号ＳｇＤは、モーター８０ａが当該駆動信号ＳｇＤに従って回転軸Ｘ１を回転させることにより、振動発生部８０（モーター８０ａ）が振動Ｖｂを発生するための信号である。
【００５７】
具体的には、駆動信号生成処理では、生成部３３が、合成信号ＳｇＸが示す波形の逆相の波形を有する信号を、駆動信号ＳｇＤとして生成する。当該合成信号ＳｇＸは、信号ＳｇＡを使用して生成された信号である。そのため、駆動信号ＳｇＤは、信号ＳｇＡに基づいて生成された信号である。そして、生成部３３は、生成した駆動信号ＳｇＤを、振動制御部３４へ送信する。
【００５８】
振動制御処理では、振動発生部８０が表示装置１００において振動Ｖｂを発生させるように、振動制御部３４が、信号ＳｇＡに基づいて生成された駆動信号ＳｇＤを使用して、当該振動発生部８０を制御する。すなわち、振動制御部３４は、振動発生部８０が表示装置１００において振動Ｖｂを発生させるように、信号ＳｇＡに基づいて振動発生部８０を制御する。
【００５９】
具体的には、振動発生部８０が駆動信号ＳｇＤに従って駆動するように、振動制御部３４が当該振動発生部８０を制御する。すなわち、振動制御部３４は、駆動信号ＳｇＤを、振動発生部８０へ送信する。
【００６０】
振動発生部８０は、生成された駆動信号ＳｇＤに基づいて表示装置１００において振動Ｖｂを発生させる。具体的には、振動発生部８０は、駆動信号ＳｇＤに従って駆動する。より具体的には、振動発生部８０のモーター８０ａが駆動信号ＳｇＤに従って回転軸Ｘ１を回転させる。
【００６１】
これにより、振動発生部８０（モーター８０ａ）において振動Ｖｂが発生する。したがって、振動Ｖｂは、振動発生部８０（モーター８０ａ）が固定されている板１１において発生する。すなわち、板１１が固定されている筐体３０を備える表示装置１００において振動Ｖｂが発生する。
【００６２】
以上の振動抑制処理と、信号ＳｇＡを使用して行われる音声出力処理とが、互いに独立して、ほぼ同時に行われる。したがって、振動抑制処理により発生する振動Ｖｂにより、音声出力処理により発生する振動Ｖａの大きさが許容振動レベル以下となる。具体的には、板１１において発生している振動Ｖａの大きさは、板１１において発生する振動Ｖｂにより、ほぼ０となる。
【００６３】
したがって、振動抑制処理が行われることにより、振動Ｖａがディスク記録装置５０に伝搬することを防ぐことができる。すなわち、振動Ｖａがディスク記録装置５０に伝搬することを大幅に抑制することができる。その結果、音声出力部７０が音声を出力することにより振動Ｖａが発生している場合においても、上記の不具合Ａが発生することを防ぐことができる。
【００６４】
前述したように、不具合Ａは、例えば、ディスク記録装置５０が、ディスクに記録されたデータにアクセスできないという不具合（アクセス不良）である。また、不具合Ａは、例えば、ディスク記録装置５０がディスクにデータを正常に記録させることができないという不具合である。
【００６５】
以上説明したように、本実施の形態によれば、振動発生部８０が表示装置１００において振動Ｖｂを発生させるように、振動制御部３４が、信号ＳｇＡに基づいて当該振動発生部８０を制御する。振動Ｖｂは、表示装置１００が信号ＳｇＡを処理することにより当該表示装置１００において発生する振動Ｖａを抑制するための振動である。
【００６６】
これにより、表示装置１００の処理対象の信号ＳｇＡに応じた振動Ｖａを抑制することができる。したがって、上記の不具合Ａが発生することを防ぐことができる。前述したように、不具合Ａは、例えば、ディスク記録装置５０が、ディスクに記録されたデータにアクセスできないという不具合（アクセス不良）である。また、不具合Ａは、例えば、ディスク記録装置５０がディスクにデータを正常に記録させることができないという不具合である。
【００６７】
また、本実施の形態によれば、音声出力部７０が音声を出力することにより発生する振動Ｖａの大きさを許容振動レベル以下にすることができる。すなわち、振動Ｖａがディスク記録装置５０へ伝搬することを抑制することができる。つまり、本実施の形態によれば、表示装置１００における、振動に対する耐力を向上させることができる。
【００６８】
なお、前述の関連技術Ａでは、ハードディスクの周囲に大がかりな制振ユニットおよび制振部材を設けていた。そのため、関連技術Ａでは、テレビジョン受像機である表示装置のコストが高くなるという問題点がある。
【００６９】
また、制振部材は、スピーカから出力される音声の全ての周波数帯域において有効では無い。そのため、スピーカから出力されると推測される音声の周波数、すなわち、関連技術Ａでは、使用対象となる音声、音楽ソース等の周波数に合わせて、最適な制振部材に交換する必要があるという問題点がある。
【００７０】
そこで、本実施の形態の表示装置１００は上記のように構成されるため、上記の問題点を解決することができる。
【００７１】
（その他の変形例）
以上、本発明に係る表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【００７２】
また、表示装置１００は、図６等に示される全ての構成要素を含まなくてもよい。すなわち、表示装置１００は、本発明の効果を実現できる最小限の構成要素のみを含めばよい。例えば、表示装置１００が、映像処理部３１Ｖ、音声処理部３１Ａ、合成部３２、生成部３３および振動制御部３４を備えない構成としてもよい。当該構成では、例えば、制御部４０が、映像処理部３１Ｖ、音声処理部３１Ａ、合成部３２、生成部３３および振動制御部３４が行う処理もさらに行う。
【００７３】
また、例えば、表示装置１００が、合成部３２および生成部３３を備えない構成としてもよい。当該構成では、例えば、振動制御部３４が、合成部３２および生成部３３が行う処理もさらに行う。
【００７４】
なお、表示装置１００に含まれる各構成要素の全てまたは一部を、ハードウエアで示した構成は、例えば、以下のようになる。以下においては、表示装置１００に含まれる各構成要素の全てまたは一部を、ハードウエアで示した表示装置を、「表示装置ｈｄ１０」ともいう。
【００７５】
図７は、表示装置ｈｄ１０のハードウエア構成図である。図７を参照して、表示装置ｈｄ１０は、プロセッサｈｄ１と、メモリｈｄ２と、スピーカｈｄ３と、振動発生装置ｈｄ４と、モニタｈｄ５とを備える。
【００７６】
図６の音声出力部７０は、スピーカｈｄ３である。図６の振動発生部８０は、振動発生装置ｈｄ４である。図６の表示部２０は、モニタｈｄ５である。
【００７７】
図６の振動制御部３４は、プロセッサｈｄ１がメモリｈｄ２等に記憶されたソフトウェアのプログラムに従って各種処理を行うことにより実現される。また、図６の合成部３２および生成部３３の各々も、プロセッサｈｄ１がメモリｈｄ２等に記憶されたソフトウェアのプログラムに従って各種処理を行うことにより実現される。すなわち、図６の合成部３２、生成部３３および振動制御部３４の各々は、プロセッサｈｄ１がメモリｈｄ２等に記憶されたプログラムを実行することにより、当該プロセッサｈｄ１の機能として実現される。なお、当該各機能は、例えば、複数のプロセッサｈｄ１が連携して各種処理を行うことにより実現されてもよい。
【００７８】
なお、前述したように、合成部３２、生成部３３および振動制御部３４の全てまたは一部は、上記の各種処理を行う、ハードウエアの電気回路で構成される信号処理回路で構成されてもよい。また、ソフトウェアで実現される合成部３２、生成部３３および振動制御部３４と、ハードウエアの合成部３２、生成部３３および振動制御部３４とを合わせた概念を考慮して、合成部３２、生成部３３および振動制御部３４における用語「部」を、用語「処理回路」に置き換えてもよい。
【００７９】
また、本発明は、表示装置１００が備える特徴的な構成部の動作をステップとする振動制御方法として実現してもよい。また、本発明は、そのような振動制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【００８０】
また、本発明に係る振動制御方法は、前述の振動抑制処理の一部または全てに相当する。本発明に係る振動制御方法は、振動抑制処理における、対応する全ての処理を必ずしも含む必要はない。すなわち、本発明に係る振動制御方法は、本発明の効果を実現できる最小限の処理のみを含めばよい。
【００８１】
また、振動制御方法における各処理の実行される順序は、本発明を具体的に説明するための一例であり、上記以外の順序であってもよい。また、振動制御方法における処理の一部と、他の処理とは、互いに独立して並列に実行されてもよい。
【００８２】
上記実施の形態で用いた全ての数値は、本発明を具体的に説明するための一例の数値である。すなわち、本発明は、上記実施の形態で用いた各数値に制限されない。
【００８３】
なお、本発明は、その発明の範囲内において、実施の形態を適宜、変形、省略することが可能である。
【００８４】
例えば、音声出力部７０を構成するスピーカ７の数は、２としたがこれに限定されない。音声出力部７０を構成するスピーカ７の数は、１または３以上であってもよい。
【００８５】
ここで、一例として、音声出力部７０を構成するスピーカ７の数が１である構成（以下、「変形構成Ａ」ともいう）について説明する。変形構成Ａでは、スピーカ７は、１つの音声信号（以下、「音声信号ＳｇＣ」ともいう）に従って音声を出力する。変形構成Ａを適用した振動抑制処理では、合成処理は行われない。すなわち、変形構成Ａを適用した振動抑制処理では、駆動信号生成処理および振動制御処理が、駆動信号生成処理および振動制御処理の順で行われる。
【００８６】
なお、変形構成Ａを適用した駆動信号生成処理では、生成部３３が、音声信号ＳｇＣに基づいて、駆動信号ＳｇＤを生成する。具体的には、変形構成Ａを適用した駆動信号生成処理では、生成部３３が、音声信号ＳｇＣが示す波形の逆相の波形を有する信号を、駆動信号ＳｇＤとして生成する。なお、変形構成Ａを適用した振動制御処理は、前述した振動制御処理と同様である。
【００８７】
また、振動発生部８０は、モーター８０ａと、板状部８０ｂとを含む構成に限定されず、駆動信号ＳｇＤに基づいて振動Ｖｂを発生することが可能な構成であれば、他の構成であってもよい。
【００８８】
また、振動発生部８０が設けられる位置は、図３、図４および図５で示される位置に限定されない。振動発生部８０が設けられる位置は、図３、図４および図５で示される位置以外の、ディスク記録装置５０の近傍の位置であってもよい。
【符号の説明】
【００８９】
７，７Ｌ，７Ｒ，ｈｄ３  スピーカ、２０  表示部、３０，３０Ｆ，３０Ｒ  筐体、３２  合成部、３３  生成部、３４  振動制御部、５０  ディスク記録装置、７０  音声出力部、８０  振動発生部、１００，ｈｄ１０  表示装置。
【図１】
2016181848.tif 000003
【図２】
2016181848.tif 000004
【図３】
2016181848.tif 000005
【図４】
2016181848.tif 000006
【図５】
2016181848.tif 000007
【図６】
2016181848.tif 000008
【図７】
2016181848.tif 000009